(57)【要約】【課題】通信端末に対して、開閉装置から無線により履歴データを送信することで、開閉装置から履歴データを読み出す作業の効率を高めることを目的とする。【解決手段】異常を検出する異常検出部と、異常検出部で検出された異常を、異常の発生時期及び開閉装置の動作回数と共に異常の履歴データとして記憶する記憶部と、通信端末からの送信要求信号を無線で受信すると共に、履歴データを無線で送信する装置側送受信部と、異常検出部で異常が検出された場合に、当該検出された異常を、異常の発生時期及び開閉装置の動作回数と共に履歴データとして記憶部に記憶させる制御を行うと共に、通信端末からの送信要求信号を無線で受信した場合に、記憶部に記憶された履歴データを読み出し、当該読み出した履歴データを、送信要求信号を送信した通信端末に無線で送信するよう装置側送受信部を制御する装置側制御部と、を含む。【選択図】図１
2019199715.tif 000002
【特許請求の範囲】
【請求項１】
異常を検出する異常検出部と、
前記異常検出部で検出された異常を、異常の発生時期及び開閉装置の動作回数と共に異常の履歴データとして記憶する記憶部と、
通信端末からの送信要求信号を無線で受信すると共に、前記記憶部に記憶された前記履歴データを無線で送信する装置側送受信部と、
前記異常検出部で異常が検出された場合に、当該検出された異常を、異常の発生時期及び開閉装置の動作回数と共に前記履歴データとして前記記憶部に記憶させる制御を行うと共に、前記通信端末からの前記送信要求信号を無線で受信した場合に、前記記憶部に記憶された前記履歴データを読み出し、当該読み出した前記履歴データを、前記送信要求信号を送信した前記通信端末に無線で送信するよう前記装置側送受信部を制御する装置側制御部と、
を含む開閉装置。
【請求項２】
請求項１に記載の開閉装置と前記通信端末とを備える開閉システムであって、
前記通信端末は、
前記送信要求信号を無線で送信すると共に、前記送信要求信号に応じて送信された前記履歴データを無線で受信する端末側送受信部と、
前記端末側送受信部が受信した前記履歴データが示す異常を報知する報知部と、
操作部の操作に応じて前記送信要求信号が無線で送信されるよう前記端末側送受信部を制御すると共に、前記履歴データを前記端末側送受信部が受信した場合に、前記報知部により前記履歴データが示す異常が報知されるように制御する端末側制御部と、
を含む開閉システム。
【請求項３】
複数の前記開閉装置及び前記通信端末とインターネットを介して接続されるサーバを備え、
前記サーバは、
複数の前記開閉装置における各々の前記記憶部から読み出された前記履歴データを受信する受信部と、
前記受信部が受信した複数の前記履歴データを分析し、その分析結果に基づく統計データを生成する生成部と、
前記生成部により生成された前記統計データを前記通信端末に送信する送信部と、
前記受信部が複数の前記履歴データを受信した場合に、前記生成部に前記統計データを生成させる制御を行うと共に、前記生成部により生成された前記統計データが前記通信端末に送信されるよう前記送信部を制御するサーバ側制御部と、
を含む請求項２に記載の開閉システム。
【発明の詳細な説明】
【技術分野】
【０００１】
本発明は、開閉装置及び開閉システムに関する。
【背景技術】
【０００２】
従来、建物に設置される開閉装置には、開閉装置に関する異常の履歴データを記憶するものがある（下記特許文献１参照）。そして、このような開閉装置では、履歴データを記憶することにより、過去に発生した異常や将来発生し得る異常等を把握できるため、故障原因の早期発見により故障の発生を未然に防止できる等、メンテナンス性が向上する利点を有する。
【先行技術文献】
【特許文献】
【０００３】
【特許文献１】特開２００５−０７６２６９号公報
【発明の概要】
【発明が解決しようとする課題】
【０００４】
しかし、従来の開閉装置は、履歴データを読み出すために、収納部内に設置された制御盤にメモリーデバイスを差し込んだり、開閉装置から開閉機を取り外し、その取り外した開閉機内のコネクタにケーブルを接続したりしなければならなかった。そのため、従来の開閉装置から履歴データを読み出す作業は煩雑であった。
【０００５】
そこで、本発明は、通信端末に対して、開閉装置から無線により履歴データを送信することで、開閉装置から履歴データを読み出す作業の効率を高めることを目的とする。
【課題を解決するための手段】
【０００６】
上記課題を解決するために、本発明は、以下のような構成を備える。
（第１の発明）
第１の発明に係る開閉装置は、異常を検出する異常検出部と、前記異常検出部で検出された異常を、異常の発生時期及び開閉装置の動作回数と共に異常の履歴データとして記憶する記憶部と、通信端末からの送信要求信号を無線で受信すると共に、前記記憶部に記憶された前記履歴データを無線で送信する装置側送受信部と、前記異常検出部で異常が検出された場合に、当該検出された異常を、異常の発生時期及び開閉装置の動作回数と共に前記履歴データとして前記記憶部に記憶させる制御を行うと共に、前記通信端末からの前記送信要求信号を無線で受信した場合に、前記記憶部に記憶された前記履歴データを読み出し、当該読み出した前記履歴データを、前記送信要求信号を送信した前記通信端末に無線で送信するよう前記装置側送受信部を制御する装置側制御部と、を含む。
【０００７】
（第２の発明）
第２の発明に係る開閉システムは、請求項１に記載の開閉装置と前記通信端末とを備える開閉システムであって、前記通信端末は、前記送信要求信号を無線で送信すると共に、前記送信要求信号に応じて送信された前記履歴データを無線で受信する端末側送受信部と、前記端末側送受信部が受信した前記履歴データが示す異常を報知する報知部と、操作部の操作に応じて前記送信要求信号が無線で送信されるよう前記端末側送受信部を制御すると共に、前記履歴データを前記端末側送受信部が受信した場合に、前記報知部により前記履歴データが示す異常が報知されるように制御する端末側制御部と、を含む。
【０００８】
（第３の発明）
第３の発明に係る開閉システムは、請求項２に記載の開閉システムであって、複数の前記開閉装置及び前記通信端末とインターネットを介して接続されるサーバを備え、前記サーバは、複数の前記開閉装置における各々の前記記憶部から読み出された前記履歴データを受信する受信部と、前記受信部が受信した複数の前記履歴データを分析し、その分析結果に基づく統計データを生成する生成部と、前記生成部により生成された前記統計データを前記通信端末に送信する送信部と、前記受信部が複数の前記履歴データを受信した場合に、前記生成部に前記統計データを生成させる制御を行うと共に、前記生成部により生成された前記統計データが前記通信端末に送信されるよう前記送信部を制御するサーバ側制御部と、を含む。
【発明の効果】
【０００９】
本発明によれば、通信端末に対して、開閉装置から無線により履歴データを送信することで、開閉装置から履歴データを読み出す作業の効率を高めることができる。
【図面の簡単な説明】
【００１０】
【図１】本実施の形態における開閉システムのシステム構成を示す模式図である。
【図２】本実施の形態における開閉装置を示す正面図である。
【図３】本実施の形態における開閉機を示す斜視図である。
【図４】本実施の形態における開閉装置の構成を示すブロック図である。
【図５】本実施の形態における通信端末の構成を示すブロック図である。
【図６】本実施の形態におけるサーバの構成を示すブロック図である。
【図７】本実施の形態における履歴データが読み出される流れを説明する説明図である。
【図８】本実施の形態における統計データが生成される流れを説明する説明図である。
【発明を実施するための形態】
【００１１】
以下、図面を参照して、本実施の形態における開閉システム１００について説明する。
図１は、本実施の形態における開閉システム１００のシステム構成を示す模式図である。
【００１２】
図１に示すように、開閉システム１００は、複数の開閉装置１０と、複数の通信端末２００と、サーバ３００と、を備えている。これらの複数の開閉装置１０、複数の通信端末２００、及びサーバ３００は、インターネットＮを介して接続されている。そして、本実施の形態における開閉システム１００では、開閉装置１０により検出された異常を、異常の履歴データとしてインターネットＮを介して無線により通信端末２００に送信することで、通信端末２００にて履歴データが示す異常を閲覧可能となっている。
【００１３】
図２は、本実施の形態における開閉装置１０を示す正面図である。図２に示すように、本実施の形態における開閉装置１０は、住宅等の建物１２に設けられている。なお、以下では、図２に示す開閉装置１０を基準として、開閉装置１０の幅方向（左右方向）及び開閉装置１０の開閉方向（上下方向）を用いて説明する。また、開閉方向（上下方向）のそれぞれ一方側と他方側を区別する必要がある場合は、上方向を「上昇方向」と記載し、下方向を「下降方向」と記載する。
【００１４】
開閉装置１０は、開閉体２０と、ガイドレール２４と、収納部２６と、巻取装置３０と、を備えている。
【００１５】
開閉体２０は、幅方向を長手、開閉方向を短手とした略矩形状の金属板を曲げ加工してなるスラット２２が複数連結されることにより構成されている。そして、開閉体２０は、巻取装置３０の駆動により収納部２６に対して開閉方向へ開閉可能となっている。
【００１６】
ガイドレール２４は、開閉体２０の幅方向両端部を囲む断面略コ字状（図示せず）の部材である。そして、このガイドレール２４は、開閉体２０の幅方向両端部を囲んで開閉体２０を支持することにより、開閉体２０の開閉方向への開閉をガイドしている。
【００１７】
収納部２６は、その下端側に開閉体２０を出没させるための開口（図示せず）が形成された略箱状の部材である。この収納部２６は、ガイドレール２４の上端部を幅方向に繋ぐように設けられている。そして、この収納部２６には、巻取装置３０の駆動により巻き取られた開閉体２０が収納される。
【００１８】
巻取装置３０は、収納部２６に収納されており、開閉体２０の巻き取り及び繰り出しを行うものである。この巻取装置３０は、幅方向に沿って延びる軸部３２と、軸部３２をチェーン及びスプロケット等の動力伝達手段（図示せず）を介して回転及び制動させる開閉機４０と、を備えている。この開閉機４０は、軸部３２における幅方向の一端側（右端側）に内蔵されている。
【００１９】
図３は、本実施の形態における開閉機４０を示す斜視図である。開閉機４０は、図３に示すように、筐体４２と、装置側制御部５４と、駆動モータ４８と、減速機構５０と、回転伝達部材５２と、開閉装置用通信機６０と、を備えている。
【００２０】
筐体４２は、幅方向に延びる円筒状の本体部４４と、本体部４４における幅方向の一端側（右端側）の開口を閉塞する閉塞部材４６と、を備えている。この閉塞部材４６は、弾性材料であるゴム材料によって形成されている。ここで、弾性材料とは、アスカー硬度６０〔度〕以下で、かつ、３０〔度〕以上の材料である。なお、アスカー硬度とは、高分子計器株式会社のアスカー硬度計Ｃ型を用いて測定することができる。
【００２１】
装置側制御部５４は、筐体４２の内部で、本体部４４における幅方向の中央部に取り付けられている。装置側制御部５４は、上面視にて、幅方向に延びる矩形状を呈している。
【００２２】
そして、装置側制御部５４は、一例として、マイコンや記憶装置、リレー回路等からなる電気回路であり、予め記憶したプログラムにより動作を行う。この装置側制御部５４は、少なくとも後述する異常検出部７０から入力される異常検出信号をプログラムに基づいて演算処理し、その処理結果に応じて駆動モータ４８の駆動を制御する。
【００２３】
駆動モータ４８は、筐体４２の内部で、装置側制御部５４に対して幅方向の他端側（左端側）に取り付けられている。なお、駆動モータ４８の出力軸（図示せず）は、幅方向の他端側（左端側）に突出している。
【００２４】
減速機構５０は、筐体４２の内部で、駆動モータ４８に対して幅方向の他端側（左端側）に取り付けられている。この減速機構５０には、駆動モータ４８の出力軸（図示せず）が接続されている。そして、減速機構５０は、駆動モータ４８から伝達された回転の回転数を減少させ、かつ、駆動モータ４８から伝達された回転のトルクを増大させて回転伝達部材５２に伝達する。
【００２５】
回転伝達部材５２は、減速機構５０に対して幅方向の他端側（左端側）に取り付けられており、その一部が筐体４２の外部へ露出している。この回転伝達部材５２には、減速機構５０の出力軸（図示せず）が接続されている。そして、回転伝達部材５２は、円盤状とされており、回転伝達部材５２の外径は、筐体４２の外径と比して大きくされている。
【００２６】
開閉装置用通信機６０は、筐体４２を構成する閉塞部材４６に取り付けられており、開閉体２０の開閉の指示を行うリモコン送信機、通信端末２００及びサーバ３００との通信を行うものである。そして、開閉装置用通信機６０には、装置側送受信部６５（図４参照）が設けられている。装置側送受信部６５の詳細については後述する。
【００２７】
図４は、本実施の形態における開閉装置１０の構成を示すブロック図である。
図４に示すように、開閉装置１０は、上記の装置側制御部５４及び開閉装置用通信機６０が有する装置側送受信部６５に加えて、異常検出部７０と、記憶部８０と、カウント部９０と、を備えている。そして、開閉装置１０では、上記の各部がバスを介して各々接続されている。
【００２８】
異常検出部７０は、開閉装置１０に関する異常を検出するものである。この異常検出部７０の具体的構成としては、駆動モータ４８の負荷を電流値から検知する負荷感知手段や、例えばガイドレール２４の側面に設けられたセンサであって、光学的に異物を感知する光電センサ等を採用できる。そして、異常検出部７０は、異常を検出した場合には、当該検出した異常に対応する異常検出信号を装置側制御部５４に送信する。
【００２９】
ここで、異常検出部７０により検出される「異常」の一例としては以下のものがある。
（１）下降方向負荷感知反転
（２）光電センサ感知
（３）電源投入異常
（４）高速駆動検知
（５）手動操作検知
（６）サーマルプロテクタ作動
（７）電源電圧異常
（８）上昇方向負荷感知停止
（９）トータルタイマ作動
（１０）パルス信号入力異常
（１１）防犯機能作動
（１２）開閉体ストローク設定
（１３）クラッチ解除
（１４）温度異常
（１５）モータ電流過大
（１６）モータ速度異常
（１７）下限オーバーラン
（１８）センサ電源短絡異常
【００３０】
上記（１）の「下降方向負荷感知反転」は、開閉体２０の閉鎖動作中に開閉体２０の下端部が障害物に接触して、駆動モータ４８の負荷が急上昇したことに基づき開閉体２０を所定量だけ上昇方向に移動させた際に、異常検出部７０により異常として検出される。
【００３１】
上記（２）の「光電センサ感知」は、開閉体２０の閉鎖動作中に光電センサにより光学的に異物が感知されたことに基づき開閉体２０を所定量だけ上昇方向に移動させた際に、異常検出部７０により異常として検出される。
【００３２】
上記（３）の「電源投入異常」は、開閉機４０に接続された電源が停電後に復帰した際に、異常検出部７０により異常として検出される。
【００３３】
上記（４）の「高速駆動検知」は、駆動モータ４８の駆動中に減速機構５０によりブレーキをかけたが、所定時間経過しても駆動モータ４８の駆動が継続している際に、異常検出部７０により異常として検出される。
【００３４】
上記（５）の「手動操作検知」は、駆動モータ４８の出力軸（図示せず）の回転に伴い出力されるパルス信号が電動動作以外で出力されている際に、異常検出部７０により異常として検出される。
【００３５】
上記（６）の「サーマルプロテクタ作動」は、駆動モータ４８が通電状態であるが、駆動モータ４８の電流値が検出できない際に、異常検出部７０により異常として検出される。
【００３６】
上記（７）の「電源電圧異常」は、電源電圧が仕様電圧（例：８５Ｖから１１５Ｖ）の範囲を逸脱した際に、異常検出部７０により異常として検出される。
【００３７】
上記（８）の「上昇方向負荷感知停止」は、開閉体２０の下端部が収納部２６に接触する上限位置で開閉体２０を停止させた場合を除いて、開閉体２０の開放動作中に駆動モータ４８の負荷が急上昇したことに基づき開閉体２０を停止させた際に、異常検出部７０により異常として検出される。
【００３８】
上記（９）の「トータルタイマ作動」は、駆動モータ４８が所定時間（例：９０秒）連続で駆動している際に、異常検出部７０により異常として検出される。
【００３９】
上記（１０）の「パルス信号入力異常」は、本来装置側制御部５４に入力されるパルス信号が、装置側制御部５４に入力されていないことに基づいて駆動モータ４８の駆動を停止させた際に、異常検出部７０により異常として検出される。
【００４０】
上記（１１）の「防犯機能作動」は、防犯機能が起動して、一定時間防犯機能が維持された際に、異常検出部７０により異常として検出される。「防犯機能が起動」とは、例えば、開閉体２０のこじ開けを異常検出部７０が検知して、装置側制御部５４による駆動モータ４８の駆動制御が行われ、開閉体２０を閉鎖動作させた場合である。
【００４１】
上記（１２）の「開閉体ストローク設定」は、開閉体２０の駆動開始からの開閉体２０の移動距離である開閉体ストロークが設定された際に、異常検出部７０により異常として検出される。
【００４２】
上記（１３）の「クラッチ解除」は、ブレーキ解除スイッチ（図示せず）が操作され、開閉体２０が自重で降下するブレーキ解除状態となった際に、異常検出部７０により異常として検出される。
【００４３】
上記（１４）の「温度異常」は、温度が仕様温度（例：−２０℃から７０℃）の範囲を逸脱した際に、異常検出部７０により異常として検出される。
【００４４】
上記（１５）の「モータ電流過大」は、駆動モータ４８の電流が仕様値（例：６Ａ）を超えた際に、異常検出部７０により異常として検出される。
【００４５】
上記（１６）の「モータ速度異常」は、駆動モータ４８の回転数が目標値の９０％以下を下回った際に、異常検出部７０により異常として検出される。
【００４６】
上記（１７）の「下限オーバーラン」は、開閉体２０の下端部が床面や枠部材等に接触する下限位置に開閉体２０が到達した後、駆動モータ４８の駆動が所定時間連続で継続している際に、異常検出部７０により異常として検出される。
【００４７】
上記（１８）の「センサ電源短絡異常」は、例えば、光電センサに接続されたセンサ電源(ＤＣ２４Ｖ、ＤＣ１２Ｖ又はＤＣ５Ｖ等）の短絡が発生した際に、異常検出部７０により異常として検出される。
【００４８】
記憶部８０は、ＥＥＰ−ＲＯＭ等の不揮発性メモリであって、開閉装置１０に関する種々の情報が記憶可能とされている。
まず、記憶部８０は、異常検出部７０により異常が検出されたことに基づいて、その異常の異常内容を、異常の発生時期及び開閉装置１０の動作回数と共に履歴データとして記憶する。
【００４９】
「履歴データ」は、開閉装置１０に関する異常を示す情報であって、発生した異常の内容を示す「異常内容」と、その異常の「発生時期」と、その異常発生時の「開閉装置１０の動作回数」とが含まれている。
【００５０】
そして、記憶部８０は、異常検出部７０で異常が検出された場合に、装置側制御部５４により、当該検出された異常の異常内容を、異常の発生時期及び開閉装置１０の動作回数と共に履歴データとして記憶させる制御が行われることで履歴データを記憶する。具体的には、記憶部８０は、異常検出部７０からの異常検出信号が入力された装置側制御部５４により、その異常検出信号に対応する履歴データが書き込まれることで履歴データを累積的に記憶する。
【００５１】
また、記憶部８０は、開閉装置１０の設置場所（緯度及び経度）を記憶する。例えば、この開閉装置１０の設置場所（緯度及び経度）は、開閉装置１０の設置時に作業者による入力が行われることにより、記憶部８０に記憶される。
【００５２】
なお、記憶部８０に記憶された履歴データや開閉装置１０の設置場所（緯度及び経度）は、装置側制御部５４により適宜読み出され、その読み出された情報が装置側送受信部６５により通信端末２００又はサーバ３００へ送信される。
【００５３】
カウント部９０は、開閉装置１０の動作回数をカウントするものである。このカウント部９０は、開閉体２０の電動動作開始からパルス信号の装置側制御部５４への入力が所定時間継続した際に、「開閉装置１０の動作回数」を１カウントする。
【００５４】
装置側送受信部６５は、小電力無線局として機能する無線モジュールとして、無線ＬＡＮ（Ｗｉ−Ｆｉ）モジュールを備える無線通信装置である。開閉装置１０は、この装置側送受信部６５により、インターネットＮを介して通信端末２００及びサーバ３００と接続されている。
【００５５】
そして、装置側送受信部６５は、インターネットＮを介して、通信端末２００からの履歴データ送信要求信号を無線で受信すると共に、記憶部８０に記憶された履歴データを無線で通信端末２００に送信する。具体的には、この装置側送受信部６５は、通信端末２００からの履歴データ送信要求信号を無線で受信した場合に、装置側制御部５４により記憶部８０から読み出された履歴データを、履歴データ送信要求信号を送信した通信端末２００に無線で送信するよう装置側制御部５４に制御されている。
【００５６】
また、装置側送受信部６５は、インターネットＮを介して、サーバ３００から統計データ送信要求信号を受信すると、サーバ３００に特定の履歴データ（以下、「特定履歴データ」とする）を送信する。具体的には、この装置側送受信部６５は、サーバ３００からの統計データ送信要求信号を無線で受信した場合に、装置側制御部５４により記憶部８０から読み出された特定履歴データを、統計データ送信要求信号を送信したサーバ３００に無線で送信するよう装置側制御部５４に制御されている。なお、「履歴データ送信要求信号」、「統計データ送信要求信号」、及び「特定履歴データ」については後述する。
【００５７】
図５は、本実施の形態における通信端末２００の構成を示すブロック図である。
通信端末２００は、一例として、スマートフォン、タブレット端末、又はＰＣ（パーソナルコンピュータ）等である。
【００５８】
この通信端末２００は、ＣＰＵ２１０(Central Processing Unit)、図示しないＲＯＭ(Read Only Memory)、図示しないＲＡＭ(Random Access Memory)、及び図示しない入出力インターフェース（Ｉ／Ｏ）を備えており、これら各部がバスを介して各々接続されている。そして、通信端末２００のＣＰＵ２１０は、端末側送受信部２１２、報知部２１４、及び端末側制御部２１６として機能する。
【００５９】
また、通信端末２００は、例えば、液晶ディスプレイ(ＬＣＤ:Liquid Crystal Display)や有機ＥＬ(Electro Luminescence)ディスプレイから成る表示装置２２０を備えている。この表示装置２２０には、タッチパネルが搭載されており、このタッチパネルを指で操作することにより、通信端末２００への情報の入力が可能となっている。
【００６０】
端末側送受信部２１２は、開閉装置１０及びサーバ３００と、通信端末２００とをインターネットＮを介して通信を可能とするものである。本実施の形態では、端末側送受信部２１２は、例えば無線ＬＡＮ（Local Area Network）ルータを介してインターネットＮに接続されている。そして、端末側送受信部２１２は、開閉装置１０に履歴データ送信要求信号を無線で送信すると共に、履歴データ送信要求信号に応じて開閉装置１０から送信された履歴データを無線で受信する。
【００６１】
「履歴データ送信要求信号」には、ユーザが要求する履歴データを記憶部８０から読み出すための情報として、履歴データを読み出す際の履歴データ用検索キーが含まれている。この履歴データ用検索キーとしては、例えば、「異常内容指定」、「発生時期指定」等がある。
【００６２】
また、端末側送受信部２１２は、サーバ３００に統計データ送信要求信号を無線で送信すると共に、統計データ送信要求信号に応じてサーバ３００から送信された統計データを無線で受信する。
【００６３】
「統計データ送信要求信号」には、ユーザが要求する統計データをサーバ３００に生成させるための特定履歴データを記憶部８０から読み出すための情報として、特定履歴データを読み出す際の特定履歴データ用検索キーが含まれている。この特定履歴データ用検索キーとしては、例えば、「防犯」、「メンテナンス」等がある。
【００６４】
「統計データ」とは、複数の開閉装置１０における各々の記憶部８０から読み出した複数の特定履歴データをビックデータとして活用することにより生成されたデータである。また、「特定履歴データ」とは、記憶部８０に記憶されているデータ（少なくとも「履歴データ」及び「開閉装置１０の設置場所（緯度及び経度）」を含むデータ）のうち、所定の検索キーに基づいて選択されたデータの集合である。
【００６５】
報知部２１４は、端末側送受信部２１２が受信した履歴データが示す異常、及び端末側送受信部２１２が受信した統計データを表示装置２２０に報知するものである。
【００６６】
端末側制御部２１６は、操作部としての表示装置２２０のタッチパネルの操作に応じて履歴データ送信要求信号が無線で開閉装置１０に送信されるよう端末側送受信部２１２を制御する。また、端末側制御部２１６は、履歴データ又は統計データを端末側送受信部２１２が受信した場合に、当該履歴データが示す異常、又は当該統計データが表示装置２２０に報知されるように報知部２１４を制御する。
【００６７】
図６は、本実施の形態におけるサーバ３００の構成を示すブロック図である。
サーバ３００は、ＣＰＵ３１０、図示しないＲＯＭ、図示しないＲＡＭ、及び図示しないＩ／Ｏを備えており、これら各部がバスを介して各々接続されている。そして、サーバ３００のＣＰＵ３１０は、受信部及び送信部としてのサーバ側送受信部３１２、生成部３１４、及びサーバ側制御部３１６として機能する。
【００６８】
サーバ側送受信部３１２は、複数の開閉装置１０、及び複数の通信端末２００の各々とインターネットＮを介して通信を可能とするものである。そして、サーバ側送受信部３１２は、インターネットＮを介して、通信端末２００から統計データ送信要求信号を受信すると、複数の開閉装置１０に統計データ送信要求信号を送信（転送）する。また、サーバ側送受信部３１２は、インターネットＮを介して、複数の開閉装置１０における各々の記憶部８０から読み出された特定履歴データを受信すると、生成部３１４により生成された統計データを通信端末２００に送信する。
【００６９】
生成部３１４は、サーバ側送受信部３１２が受信した複数の特定履歴データを分析し、その分析結果に基づく統計データを生成するものである。なお、統計データが生成される流れについては後述する。
【００７０】
サーバ側制御部３１６は、サーバ側送受信部３１２が複数の特定履歴データを受信した場合に、生成部３１４に統計データを生成させる制御を行うと共に、生成部３１４により生成された統計データが通信端末２００に送信されるようサーバ側送受信部３１２を制御するものである。
【００７１】
（履歴データが読み出される流れ）
以下、図７を用いて、履歴データが読み出される流れについて説明する。
図７に示すように、まず、ステップＳ１００において、通信端末２００は、ユーザによる表示装置２２０のタッチパネルの操作により履歴データ用検索キーが指定されたことに基づいて、端末側送受信部２１２により、インターネットＮを介して、履歴データ送信要求信号を開閉装置１０に送信する。
【００７２】
ステップＳ１０１において、開閉装置１０では、装置側制御部５４により、装置側送受信部６５が受信した履歴データ送信要求信号に対応する履歴データが記憶部８０から読み出される。
【００７３】
次に、ステップＳ１０２において、開閉装置１０は、装置側送受信部６５により、インターネットＮを介して、装置側制御部５４により読み出された履歴データを無線により通信端末２００に送信する。
【００７４】
そして、ステップＳ１０３において、通信端末２００では、報知部２１４により、端末側送受信部２１２が受信した履歴データの示す異常が表示装置２２０に報知される。
【００７５】
（統計データが生成される流れ）
以下、図８を用いて、統計データが生成される流れについて説明する。
図８に示すように、まず、ステップＳ２００において、通信端末２００は、ユーザによる表示装置２２０のタッチパネルの操作により特定履歴データ用検索キーが指定されたことに基づいて、端末側送受信部２１２により、インターネットＮを介して、統計データ送信要求信号をサーバ３００に送信する。
【００７６】
ステップＳ２０１において、サーバ３００は、サーバ側送受信部３１２により、インターネットＮを介して、通信端末２００から送信された統計データ送信要求信号を複数の開閉装置１０に送信（転送）する。
【００７７】
ステップＳ２０２において、各開閉装置１０では、装置側制御部５４により、装置側送受信部６５が受信した統計データ送信要求信号に対応する特定履歴データが記憶部８０から読み出される。
【００７８】
次に、ステップＳ２０３において、各開閉装置１０は、装置側送受信部６５により、インターネットＮを介して、装置側制御部５４により読み出された特定履歴データを無線によりサーバ３００に送信する。
【００７９】
ステップＳ２０４において、サーバ３００では、生成部３１４により、サーバ側送受信部３１２が受信した複数の特定履歴データに基づいて統計データが生成される。
【００８０】
例えば、サーバ側送受信部３１２が受信した特定履歴データに、「異常内容（防犯機能作動）」、防犯機能作動の「発生時期」、及び「開閉装置１０の設置場所（緯度及び経度）」が含まれる場合には、生成部３１４により以下の統計データを生成できる。なお、以下では、サーバ側送受信部３１２が受信した上記の特定履歴データを「防犯機能作動データ」と記載する。
【００８１】
上記の場合、生成部３１４は、統計データとして、サーバ側送受信部３１２が受信した上記の「防犯機能作動データ」を用いて、所定の地域における時間帯毎の治安に関する治安データを生成できる。具体的には、生成部３１４は、複数の開閉装置１０の記憶部８０から読み出された「防犯機能作動データ」をビックデータとして活用することで、所定の地域における時間帯毎の治安を分析し、その分析結果に基づく治安データを生成できる。
【００８２】
生成部３１４は、治安データを、例えば、
Ａ地域→「早朝：普通、日中：良い、夜間：悪い」
Ｂ地域→「早朝：悪い、日中：良い、夜間：普通」
や
Ａ地域→「早朝：危険度３０％、日中：危険度５％、夜間：危険度６０％」
Ｂ地域→「早朝：危険度６０％、日中：危険度５％、夜間：危険度３０％」
等のように生成する。
【００８３】
次に、ステップＳ２０５において、サーバ３００は、サーバ側送受信部３１２により、インターネットＮを介して、生成部３１４により生成された統計データを通信端末２００に送信する。
【００８４】
そして、ステップＳ２０６において、通信端末２００では、報知部２１４により、端末側送受信部２１２が受信した統計データが表示装置２２０に報知される。
【００８５】
（本実施の形態の作用効果）
本実施の形態では、開閉装置１０は、上記の異常を検出する異常検出部７０と、異常検出部７０で検出された異常の異常内容を、異常の発生時期及び開閉装置の動作回数と共に履歴データとして記憶する記憶部８０と、記憶部８０に記憶された履歴データを無線で通信端末２００に送信する装置側送受信部６５と、を備えている。
【００８６】
これにより、本実施の形態では、開閉装置１０から通信端末２００に無線により履歴データを送信することができる。したがって、本実施の形態では、開閉装置１０から履歴データを読み出すために、例えば、収納部２６内に設置された制御盤にメモリーデバイスを差し込んだり、開閉装置１０から開閉機４０を取り外し、その取り外した開閉機４０内のコネクタにケーブルを接続したりして履歴データを読み出す必要がない。
【００８７】
以上のように、本実施の形態によれば、通信端末２００に対し、装置側送受信部６５により無線で履歴データを送信できるため、有線を用いて開閉装置１０から履歴データを読み出す構成に比べて、開閉装置１０から履歴データを読み出す作業の効率を高めることができる。
【００８８】
また、本実施の形態では、開閉装置１０及び通信端末２００は、インターネットＮを介して接続されている。そして、本実施の形態では、通信端末２００は、履歴データを無線で受信する端末側送受信部２１２と、端末側送受信部２１２が受信した履歴データが示す異常を報知する報知部２１４と、を備えている。これにより、本実施の形態によれば、通信端末２００に対し、装置側送受信部６５によりインターネットＮを介して無線で履歴データを送信できる。そのため、本実施の形態によれば、通信端末２００の所有者であるユーザが外出等により開閉装置１０から離れていても、端末側送受信部２１２が受信した履歴データが示す異常を報知部２１４により表示装置２２０に報知されることで、通信端末２００を用いて履歴データが示す異常を閲覧することができる。
【００８９】
また、本実施の形態では、サーバ３００は、サーバ側送受信部３１２が受信した複数の特定履歴データを分析し、その分析結果に基づく統計データを生成する生成部３１４と、統計データを通信端末２００に送信するサーバ側送受信部３１２と、を備えている。
【００９０】
これにより、本実施の形態によれば、複数の開閉装置１０の記憶部８０から受信した複数の特定履歴データをビックデータとして活用することができる。
【００９１】
（その他）
本実施の形態における開閉システム１００は、複数の開閉装置１０と、複数の通信端末２００と、サーバ３００と、を備えることとしたが、これに限らず、開閉装置１０と通信端末２００とで開閉システム１００を構成してもよい。この場合には、開閉装置１０及び通信端末２００は、ＬＡＮ、ブルートゥース(登録商標)、又は赤外線等を介して接続される。
【００９２】
本実施の形態では、通信端末２００から開閉装置１０に対して履歴データ送信要求信号が送信されることにより、開閉装置１０から通信端末２００に対して履歴データが無線により送信されることとした。しかし、これに限らず、開閉装置１０が異常検出部７０により異常を検出する都度、開閉装置１０から通信端末２００に対して、当該検出した異常に対応する履歴データを無線により送信してもよい。また、異常検出部７０により検出される「異常」を重要度に応じてランク付けし、異常検出部７０により重要度が高い「異常」が検出された場合には、履歴データ送信要求信号の受信に基づかずに開閉装置１０から通信端末２００に対して履歴データを無線により送信してもよい。
【００９３】
また、通信端末２００に、端末側送受信部２１２が受信した履歴データ及び統計データをソートするソート手段を設け、表示装置２２０に報知される際に当該受信したデータをユーザが希望する順序にソート可能としてもよい。さらに、通信端末２００に、端末側送受信部２１２が受信した履歴データ及び統計データを特定の条件に絞り込む絞り込み手段を設け、表示装置２２０に報知される際に当該受信したデータをユーザが希望する特定の条件を含む内容に絞り込み可能としてもよい。
【００９４】
本実施の形態では、「異常内容（防犯機能作動）」、防犯機能作動の「発生時期」、及び「開閉装置１０の設置場所（緯度及び経度）」を含む特定履歴データに基づいて、統計データとして治安データを生成したが、生成部３１４により生成される統計データはこれに限られない。例えば、生成部３１４は、「特定の異常内容」及び「開閉装置１０の設置場所（緯度及び経度）」を含む特定履歴データをビックデータとして活用することで、地域毎に発生しやすい異常内容を分析し、その分析結果に基づいて、地域別の発生しやすい異常内容を纏めた異常統計データを生成してもよい。
【符号の説明】
【００９５】
１０  開閉装置                              １２  建物
２０  開閉体                                ２２  スラット
２４  ガイドレール                          ２６  収納部
３０  巻取装置                              ３２  軸部
４０  開閉機                                ４２  筐体
４４  本体部                                ４６  閉塞部材
４８  駆動モータ                            ５０  減速機構
５２  回転伝達部材                          ５４  装置側制御部
６０  開閉装置用通信機                      ６５  装置側送受信部
７０  異常検出部                            ８０  記憶部
９０  カウント部                          １００  開閉システム
２００  通信端末                          ２１０  ＣＰＵ
２１２  端末側送受信部                    ２１４  報知部
２１６  端末側制御部                      ２２０  表示装置
３００  サーバ                            ３１０  ＣＰＵ
３１２  サーバ側送受信部                  ３１４  生成部
３１６  サーバ側制御部
【図１】
2019199715.tif 000003
【図２】
2019199715.tif 000004
【図３】
2019199715.tif 000005
【図４】
2019199715.tif 000006
【図５】
2019199715.tif 000007
【図６】
2019199715.tif 000008
【図７】
2019199715.tif 000009
【図８】
2019199715.tif 000010